(57)【要約】【課題】時間帯毎に色別された容器に薬が入れられ、経時時間毎に服用する該容器を取り出すことにより、次の該当薬が最前面に出、飲み忘れを始めとして、二重服用防止、プライバシイ保護、美観に優れた薬管理ボックスの提供。【解決手段】常用常備薬を収容すると共に服用時を判別可能に識別表示した容器と、該容器を服用順に並べて収納する収納部とからなり、該収納部は、前記容器の最前に位置するものを外部から識別できるようにした透明な前面と、収納された前記容器を前記前面側に押し付ける押圧部材とからなる常用常備薬管理ボックス。【選択図】  図１
2005007129.tif 000002
【特許請求の範囲】
【請求項１】
常用常備薬を収容すると共に服用時を判別可能に識別表示した容器と、該容器を服用順に並べて収納する収納部とからなり、該収納部は、前記容器の最前に位置するものを外部から識別できるようにした透明な前面と、収納された前記容器を前記前面側に押し付ける押圧部材とからなることを特徴とする常用常備薬管理ボックス。
【請求項２】
前記容器は縦一列に並べて収納される請求項１記載の常用常備薬管理ボックス。
【請求項３】
前記容器は、少なくとも一日間の服用時を判別可能に識別表示されている請求項１記載の常用常備薬管理ボックス。
【請求項４】
前記識別は、色による識別である請求項１記載の常用常備薬管理ボックス。
【請求項５】
前記収納部は、蓋を有し、該蓋と前記前面との間には前記容器を上部に引き出す開口部が設けられている請求項１記載の常用常備薬管理ボックス。
【請求項６】
前記押圧部材は、前記容器に当接される背板と、該背板に押付力を作用させるコイルバネとからなる請求項１記載の常用常備薬管理ボックス。
【発明の詳細な説明】
【０００１】
【発明の属する技術分野】
本発明は、数種類の常用常備薬を医師や薬剤師などの指示通りに朝、昼、夜等規則的に服用する場合に、各時間帯に忘れたり、二重服用などのないよう識別や管理が容易で薬管理ボックスに関するものである。
【０００２】
【従来の技術】
様々な病状に対する医師や薬剤師などから服用を指示されたたり、血圧やコレステロール用など生活習慣病などの常用常備薬を数種類、毎日、ある時間帯、例えば朝、昼、夜等に、服用する必要がある場合、服用したかどうか、二重服用がないかなどをきちんと管理することはきわめて大切なことである。これらを管理する手段としては、透明なプラスチックケース内を曜日、時間ごとに分割して入れて置く製品がある。
【０００３】
【発明が解決しようとする課題】
これらは服用したかどうかを確認するには必ず上部より観察する必要があるため、よほど気をつけてみないと忘れることがままある。また、薬の形状が錠、袋入り、カプセル等形状・大きさがまちまちであり、プラスチックケース内にきれいに保存するにはかなりの大きさの管理ケースになっている。
【０００４】
こうした生活習慣病対応の常用常備薬はその服用を忘れると身体に重要な影響を及ぼすため机上、卓上、座卓など通常、薬の服用者である本人はもちろん家族など周囲の人々も容易に確認できるところに置いておくことが大切であるが大きすぎて場所を占有したり、邪魔になったり、さらに美観を損ねることが多い。さらに取り出す時にいちいちケースのふたの開け閉めが必要でこの時に容器ごとひっくり返してしまい再度薬を入れ直す必要があるなどがある。病気や症状によってはこうした薬の服用を他人に見られたくない場合もあり、こうした識別が容易なものはプライバシイの観点と相反することもある。
【０００５】
従って、薬の管理に当たっては、まず小型で管理し易いこと、薬服用者本人はもちろんのこと、他の周囲の人にも、服用したかどうかの確認が確実にでき、さらには、美観的にも優れた整理ができ、できれば服用薬が何であるかが直接わからないような薬管理ボックスが求められている。
【０００６】
本発明は、上記した従来技術の問題点を解決するためになされたもので、その目的とするところは、コンパクトに薬を管理し、服用したかどうかの確認が、自分はもちろん周囲の他の人からも一目で分かるようにしたかつ卓上や机上などにおいても邪魔にならず美観的にもすぐれ、プライバシイの観点からも満足できる薬管理ボックスを提供することにある。
【０００７】
【課題を解決するための手段】
上記目的を達成する本発明の常用常備薬管理ボックスは、常用常備薬を収容すると共に服用時を判別可能に識別表示した容器と、該容器を服用順に並べて収納する収納部とからなり、該収納部は、前記容器の最前に位置するものを外部から識別できるようにした透明な前面と、収納された前記容器を前記前面側に押し付ける押圧部材とからなることを特徴としている。
【０００８】
すなわち、服用すべき数種の形状・大きさが異なる薬を、曜日、時間が一瞥できるように時間帯別、例えば朝は赤、昼は青、夜は黄色というように色による識別表示した容器に収容し、該容器を取り出し順ごとに並べ、かつ、最前面部分は外部から確認識別が容易なように透明とし、最後部背面よりバネ等の力を加えて押圧する構造である。これにより最前部に見える容器が服用すべき薬であり、時間になり、その容器を取り出すと、自動的に、最表面に次の服用すべき薬の容器がでてくるので飲み忘れや二重服用のないことを特徴とする薬管理ボックスである。
【０００９】
このような薬管理ボックスは、まず、服用すべき数種類の薬を時間帯毎に識別表示された容器に入れ、該容器を服用する経時時間帯順に並べる。これら容器を最前面部分が透明な管理ボックスに入れ、今度服用する薬が、常に最前面になるよう、最後部よりバネ等の力を利用し、常に押圧をかけておくようにして使用される。
【００１０】
【発明の実施の形態】
以下、添付図面を参照して本発明に係る薬管理ボックスの一実施の形態を説明する。図１は、本発明に係る薬管理ボックスの一実施の形態の斜視説明図、図２（イ）、（ロ）は、薬管理ボックスに薬を収容した容器を収納した状態の斜視説明図で、図２（イ）は容器が満杯状態の説明図、図２（ロ）は容器が少なくなった状態の説明図、図３（イ）、（ロ）、（ハ）は、薬を収容する容器の斜視説明図である。
【００１１】
図において、１は薬管理ボックス、２は前面、３は背板、４はコイルバネ、５は収納部、６は蓋、７ａ、７ｂ、７ｃは容器、８は開口部である。背板３とコイルバネ４でもって容器７ａ、７ｂ、７ｃを前面２側に押し付ける押圧部材が形成され、薬管理ボックス１の上部であって、蓋６と前面２との間に開口部８が形成されている。
【００１２】
薬管理ボックス１の前面２はガラスまたはプラスチック等の透明で形成され、前面２と背板３との間の空間が薬収容容器７ａ、７ｂ、７ｃの収納部５となっている。背板３はコイルバネ４を介してボックス１に支持されており、コイルバネ４により矢印ｘ方向に押圧が働くようになっている。蓋６は、容器７ａ、７ｂ、７ｃを収納した後は、図２（イ）、（ロ）に示すように、閉じた状態となる。容器７ａ、７ｂ、７ｃは、図３（イ）、（ロ）、（ハ）に示すように、服用すべき数種の形状・大きさが異なる薬を、曜日、時間が一瞥できるように時間帯別、例えば朝は赤、昼は青、夜は黄色というように色別表示した容器とし、これら容器は取り出し順ごとに並べられる。ボックス１の前面２は透明であるため、容器７ａ、７ｂ、７ｃの確認識別が容易であり、コイルバネ４による押圧が背板３により容器７ａ、７ｂ、７ｃに加えられ、常に整然とした配列が保たれる。最前部に見える容器が服用すべき薬であり、時間になり、その容器を開口部８から図２（イ）の矢印ｙ方向に取り出すと、自動的に、最表面に次の服用すべき薬の容器がでてくるので、飲み忘れや二重服用を防止できる。なお、図３において、９は容器７ａ、７ｂ、７ｃを取り出すためのつまみである。
【００１３】
以上説明した本実施の形態では、時間帯毎に色別表示されたプラスチックなどの容器を見れば、服用すべき薬を飲んだかどうかすぐ判別でき、飲み忘れを防ぐことができる。また、袋や容器内にサイズ・種類の異なる各薬を収容する直接該容器の中を見ない限り、来客者などにはどんな薬を服用しているかはわからないのでプライパシイは十分保たれる。
【００１４】
薬管理ボックスの最前面部分が透明であるために正面はもちろん左右からも該容器の識別が容易である。また、また常に最前部に見える容器が服用すべき薬であり、これを確認すれば飲み忘れたかどうかが容易にわかる。服用時間が来て、その容器を取り出すと、自動的に、最表面に次の服用すべき薬の容器がでてくるので二重服用も防止できる。
【００１５】
この薬管理ボックスは小型コンバクト化にできるため場所の占有面積が小さいため場所をとらないため、本人はもちろん家族などが常時居住する居間の机上や卓上などにおいても邪魔にならないので多くの人の見えるところにおいて観察できることを特徴とする薬管理ボックスである。これらのボックスをたとえば、自動車風、水車小屋風、機関車風などにすることもでき、側面には写真やカレンダー、備忘録などの取り付けをすることで美観や外観も良くなり、かつ、この薬管理ボックス自身を意匠ケースとすることによりさらに美観が期待できる。図４は、自動車風の意匠ケースの例を示したもので、４０はボンネット蓋、４３は背板、４４はコイルバネ、４６はルーフ蓋、４７は容器であり、ボンネット蓋４０を取り外すことにより容器４７を容易に取り出すことができる。
【００１６】
【発明の効果】
以上説明してきたように、本発明の薬管理ボックスは、薬の飲み忘れ防止、二重服用防止、次回服用薬の確認が視覚的な観点から確実にでき、コンパクトであるため、大きな場所を占有せず、卓上や机上に置くことができるため美観上からもすぐれている。
【図面の簡単な説明】
【図１】本発明に係る薬管理ボックスの一実施の形態の斜視説明図。
【図２】薬管理ボックスに薬を収容した容器を収納した状態の斜視説明図で、図２（イ）は容器が満杯状態の説明図、図２（ロ）は容器が少なくなった状態の説明図。
【図３】薬を収容する容器の斜視説明図である。
【図４】本発明に係る薬管理ボックスを自動車風の意匠ケースに適用した例の説明図。
【符号の説明】
１：薬管理ボックス
２：前面
３：背板
４：コイルバネ
５：収納部
６：蓋
７ａ、７ｂ、７ｃ：容器
８：開口部
９：つまみ
【図１】
2005007129.tif 000003
【図２】
2005007129.tif 000004
【図３】
2005007129.tif 000005
【図４】
2005007129.tif 000006